(57)【要約】【課題】筒状の化粧材の内部に、筒状の芯材を挿入して固定する際に、止着材を強固に固定できる桟材およびこの桟材を使用したフェンスを提供する。【解決手段】筒状に形成された樹脂製の化粧材２と、化粧材２の内部に挿入される筒状に形成された金属製の芯材３とを備え、化粧材２の内壁面２ａと芯材３の内壁面３ａ,３ｂのうち少なくともいずれか一方の内壁面に、肉厚部２ｃ,３ｃ,３ｄが形成されているので、この肉厚部２ｃ,３ｃ,３ｄを貫通して止着材５をねじ込みまたは打ち込むことによって、建築用桟材１から受ける止着材５の摩擦力が大きくなり、止着材５が抜けるのを防ぐことができる。従って、止着材５を建築用桟材１に強固に固定することができる。【選択図】図１
2008082026.tif 000002
【特許請求の範囲】
【請求項１】
筒状に形成された樹脂製の化粧材と、この化粧材の内部に挿入される筒状に形成された金属製の芯材とを備えた建築用桟材において、
前記化粧材の内壁面と前記芯材の内壁面のうち少なくともいずれか一方の内壁面には、肉厚部が形成されていることを特徴とする建築用桟材。 
【請求項２】
請求項１に記載の建築用桟材において、
前記芯材は横断面略四角形環状に形成されており、この芯材の少なくとも一つの角部には外側に突出する凸条が前記芯材の軸方向に沿って形成されており、この凸条には、前記芯材の端面側からねじ込まれまたは打ち込まれる止着材を係止するための係止部が形成されていることを特徴とする建築用桟材。 
【請求項３】
請求項２に記載の建築用桟材を備えたフェンスであって、
前記建築用桟材が複数上下に離間して互いに平行に配置されており、これら建築用桟の両端部に支柱が配置されており、この支柱に前記建築用桟材の端部が、前記支柱側から止着材を前記建築用桟材の芯材に形成された凸条の係止部にねじ込みまたは打ち込んで係止することによって、固定されていることを特徴とするフェンス。 
【請求項４】
請求項３に記載のフェンスにおいて、
前記建築用桟材は、その互いに平行な側面を水平方向に対して傾斜させて、前記支柱に固定されていることを特徴とするフェンス。 
【請求項５】
請求項４に記載のフェンスにおいて、
前記上下に隣り合う建築用桟材のうち、上の建築用桟材の最下端と、下の建築用桟材の最上端とが上下方向に離間していることを特徴とするフェンス。
【発明の詳細な説明】
【技術分野】
【０００１】
本発明は、建築用桟材とそれを備えたフェンスに関する。
【背景技術】
【０００２】
住宅の敷地境界に設けられるフェンスやベランダに設けられるフェンスは、戸外に長期間設置するため、耐久性や所定の強度等が必要とされている。このようなフェンスは例えば、横方向に長尺な桟材を上下に所定間隔で多数配置し、これら横材を支柱等で支持することにより構成されている。
前記桟材の一例として、例えば特許文献１に記載のものが知られている。この桟材は、筒状の芯材と、この芯材の表面層に形成される合成樹脂材料からなる筒状の被覆層（化粧材）を有している。
したがって、このような構成の桟材をフェンスの横材に使用することによって、耐候性や強度を備えたフェンスを構成することができる。
【特許文献１】特開平１１−２９１３２０号公報
【発明の開示】
【発明が解決しようとする課題】
【０００３】
ところで、上記のような桟材において、その軽量化や材料削減を目的として、芯材やその外側の化粧材を薄く形成すると、例えば、化粧材を芯材に強固に固定するために、桟材にビス等の止着材をねじ込んだり、打ち込む際に、桟材に打ち込んだ止着材が不安定になる上に、桟材から受ける止着材の摩擦力が小さくなり止着材が抜けてしまい、止着材を桟材に強固に固定できないという問題があった。
【０００４】
本発明は上記事情に鑑みてなされたもので、筒状の化粧材の内部に、筒状の芯材を挿入して固定する際に、止着材を強固に固定できる桟材およびこの桟材を使用したフェンスを提供することを課題としている。
【課題を解決するための手段】
【０００５】
上記課題を解決するために、請求項１に記載の発明は、例えば図１および図２に示すように、筒状に形成された樹脂製の化粧材２と、この化粧材２の内部に挿入される筒状に形成された金属製の芯材３とを備えた建築用桟材において、
前記化粧材２の内壁面２ａと前記芯材３の内壁面３ａ,３ｂのうち少なくともいずれか一方の内壁面には、肉厚部２ｃ,３ｃ,３ｄが形成されていることを特徴とする。
【０００６】
請求項１に記載の発明によれば、化粧材２の内壁面２ａと芯材３の内壁面３ａ,３ｂのうち少なくともいずれか一方の内壁面に肉厚部２ｃ,３ｃ,３ｄが形成されているので、この肉厚部２ｃ,３ｃ,３ｄを貫通して止着材５をねじ込みまたは打ち込むことによって、建築用桟材１から受ける止着材５の摩擦力が大きくなり、止着材５が抜けるのを防ぐことができる。従って、止着材５を建築用桟材１に強固に固定することができる。
【０００７】
請求項２に記載の発明は、請求項１に記載の建築用桟材において、
前記芯材３は横断面略四角形環状に形成されており、この芯材３の少なくとも一つの角部には外側に突出する凸条４が前記芯材３の軸方向に沿って形成されており、この凸条４には、前記芯材３の端面側からねじ込まれまたは打ち込まれる止着材２０を係止するための係止部４ａが形成されていることを特徴とする。
【０００８】
請求項２に記載の発明によれば、芯材３の凸条４に係止部４ａが形成されているので、この係止部４ａに止着材２０をねじ込みまたは打ち込むことによって、建築用桟材１を容易に他の部材（例えば図３等に示す支柱１１）に取り付け固定できる。また、凸条４が芯材３の軸方向に沿って形成されているので、芯材３を補強できる。
【０００９】
請求項３に記載の発明は、例えば図３〜図８に示すように、請求項２に記載の建築用桟材１を備えたフェンス１０であって、
前記建築用桟材１が複数上下に離間して互いに平行に配置されており、これら建築用桟１の両端部に支柱１１,１１が配置されており、この支柱１１に前記建築用桟材１の端部が、前記支柱側から止着材２０を前記建築用桟材１の芯材３に形成された凸条４の係止部４ａにねじ込みまたは打ち込んで係止することによって、固定されていることを特徴とする。
【００１０】
ここで、支柱側から止着材２０を建築用桟材１の芯材３に形成された凸条４の係止部４ａにねじ込みまたは打ち込む場合、支柱を通して止着材２０をねじ込みまたは打ち込んでもよいし、支柱１１に取付金具１６を取り付け、この取付金具１６から止着材２０をねじ込みまたは打ち込んでもよい。
【００１１】
請求項３に記載の発明によれば、支柱１１に建築用桟材１の端部が、支柱側から止着材２０を建築用桟材１の芯材３に形成された凸条４の係止部４ａにねじ込みまたは打ち込んで係止することによって、固定されているので、複数の建築用桟材１を容易に支柱１１に固定できる。
【００１２】
請求項４に記載の発明は、請求項３に記載のフェンスにおいて、
前記建築用桟材１は、その互いに平行な側面２ｄ,２ｄを水平方向に対して傾斜させて、前記支柱１１に固定されていることを特徴とする。
【００１３】
ここで、複数の建築用桟材１は全てその互いに平行な側面２ｄ,２ｄを水平方向に対して傾斜させてもよいし、一部の建築用桟材１の側面２ｄ,２ｄを水平方向に対して傾斜させてもよい。また、その傾斜方向および傾斜角度は全ての建築用桟材１において等しく設定してもよいし、異ならせてもよい。
【００１４】
請求項４に記載の発明によれば、横断面略四角形環状の建築用桟材１の互いに平行な側面２ｄ,２ｄが水平方向に対して傾斜しているので、傾斜していない建築用桟材を有するフェンスに比して、傾斜方向上側からの陽射しを建築用桟材１,１間を通して、フェンス１０の外側から内側に取り入れることができる。
【００１５】
請求項５に記載の発明は、請求項４に記載のフェンスにおいて、
前記上下に隣り合う建築用桟材１,１のうち、上の建築用桟材１の最下端Ｓ１と、下の建築用桟材１の最上端Ｓ２とが上下方向に離間していることを特徴とする。
【００１６】
請求項５に記載の発明によれば、上の建築用桟材１の最下端Ｓ１と、下の建築用桟材１の最上端Ｓ２とが上下方向に離間しているので、真横からの透光性を確保でき、敷地やベランダ等の内側からフェンス１０を通して外側を見ることができる。
【発明の効果】
【００１７】
本発明の建築用桟材によれば、筒状に形成された樹脂製の化粧材の内壁面と、この化粧材の内部に挿入される筒状に形成された金属製の芯材の内壁面のうち少なくともいずれか一方の内壁面に、肉厚部が形成されているので、この肉厚部を貫通して止着材をねじ込みまたは打ち込むことによって、桟材から受ける止着材の摩擦力が大きくなり、止着材が抜けるのを防ぐことができる。従って、止着材を桟材に強固に固定することができる。
また、本発明のフェンスによれば、支柱に建築用桟材の端部が、支柱側から止着材を建築用桟材の芯材に形成された凸条の係止部にねじ込みまたは打ち込んで係止することによって、固定されているので、複数の建築用桟材を容易に支柱に固定できる。
【発明を実施するための最良の形態】
【００１８】
以下図面を参照して本発明の実施の形態について説明する。
図１および図２は、本発明に係る建築用桟材の一例を示すもので、図１は建築用桟材の横断面図、図２は建築用桟材の側面図である。
これらの図に示すように、建築用桟材１は、化粧材２とこの化粧材２の内部に挿入された芯材３とを備えている。
化粧材２は四角筒状に形成された樹脂製のものであり、断面視において短辺方向に沿う互いに平行な２つの内壁面２ａ，２ａと、長辺方向に沿う互いに平行な２つの内壁面２ｂ，２ｂとを有している。内壁面２ａの幅方向中央部には、化粧材肉厚部２ｃが形成されている。この化粧材肉厚部２ｃは、内壁面２ａから内部に向けて凸条に突出するものであり、化粧材２の軸方向（図１において紙面と直交する方向）に延在するようにして形成されている。
また、化粧材２は、断面視において長辺方向に沿う互いに平行な２つの側面２ｄ，２ｄと、短辺方向に沿う互い平行な２つの側面２ｅ，２ｅとを有している。
【００１９】
上記のような構成の化粧材２は、セルロース系微紛粒と樹脂とを混合しかつ溶融させて押出成形することによって形成されている。セルロース系微紛粒としては、例えば、住宅等の建物を解体した際に排出される木質廃材、建物建築中に排出される端材、おが屑等の木質廃材を粉砕することによって得られる木粉や木材、バカス、稲藁等の天然木材を粉砕することによって得られる木粉が挙げられる。また、樹脂としては、例えば、食品等の包装に用いられた後回収されたトレー、食品コンテナ等の包装部材を粉砕することによって得られる樹脂や、天然木材から得られる樹脂等が挙げられる。すなわち、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等である。
このように、化粧材２は、セルロース系微紛粒と樹脂とを混合しかつ溶融させて成形したものであるため、天然の木材に近い手触りや風合いを有し、また、耐候性、耐腐食性等を備えたものとなる。
【００２０】
前記芯材３は、略四角筒状に形成された金属製のものであり、例えばアルミニウムを押出成形することによって形成されている。
芯材３は、断面視において短辺方向に沿う互いに平行な２つの内壁面３ａ，３ａと、長辺方向に沿う互いに平行な２つの内壁面３ｂ，３ｂとを有している。内壁面３ａの幅方向中央部には、芯材肉厚部３ｃが形成されている。この芯材肉厚部３ｃは、内壁面３ａから内部に向けて凸条に突出するものであり、芯材３の軸方向（図１において紙面と直交する方向）に延在するようにして形成されている。また、内壁面３ｂの幅方向中央部には、芯材肉厚部３ｄが形成されている。この芯材肉厚部３ｄは、内壁面３ｂから内部に向けて凸条に突出するものであり、芯材３の軸方向（図１において紙面と直交する方向）に延在するようにして形成されている。
【００２１】
また、芯材３は横断面略四角形環状に形成されており、この芯材３の４つの角部にはそれぞれ外側に突出する凸条４が芯材３の軸方向に沿って形成されている。この凸条４には断面略Ｃ字状に形成された係止部４ａが凸条４の延在方向に沿って形成されている。この係止部４ａは芯材３の端面側からねじ込まれまたは打ち込まれる止着材を係止するためのものである。なお、凸条４、係止部４ａは芯材３を押出成形する際にこの芯材３と一体的に形成されている。
【００２２】
そして、前記化粧材２の内部に芯材３が挿入されている。この挿入された状態において芯材３の図１において左右に隣り合う凸条４，４間に化粧材２の化粧材肉厚部２ｃが挟まれるようにして位置している。また、図２に示すように、芯材３は化粧材２より若干長く形成されており、化粧材２の両端から若干突出している。
また、化粧材２の両端部において、上の側面２ｅからビス等の止着材５が化粧材肉厚部２ｃおよび芯材肉厚部３ｃを貫通してねじ込まれており、これによって、化粧材２の内部に芯材３を強固に固定するとともに、芯材３の抜け出しを防止している。
このように、軽量化や材料軽減等を目的として、化粧材２や芯材３を薄く形成しても、肉厚部２ｃ，３ｃを貫通して止着材５をねじ込みむことによって、建築用桟材１桟材から受ける止着材５の摩擦力が大きくなり、止着材５が抜けるのを防ぐことができる。従って、止着材５を建築用桟材に強固に固定することができる。
なお、本例では、止着材５を化粧材２の上の側面２ｅからねじ込むようにしたが、下の側面２ｅからねじ込んでもよいし、さらには、左右の側面２ｄ，２ｄからねじ込んでもよい。左右側面から止着材５をねじ込む場合、この止着材５が芯材肉厚部３ｄを貫通するよにしてねじ込めばよい。
【００２３】
次に、上記構成の建築用桟材１を備えたフェンスについて説明する。
図３はフェンスの正面図、図４は図３におけるＡ−Ａ線断面図である。これらの図に示すように、フェンス１０は、上下に離間して互いに平行に配置された複数の建築用桟材１・・・と、これら建築用桟材１・・・の左右両端部を支持する左右支柱１１，１１とによって構成されている。
【００２４】
支柱１１は、化粧材１２とこの化粧材１２の内部に挿入された芯材１３と、化粧材１２の上端部に設けられた蓋材１４とを備えている。
化粧材１２は、図６および図７に示すように、略正方形筒状に形成されており、その４つの側面にはそれぞれ凹溝１２ａが上下に延在して形成されている。化粧材１２は、前記化粧材２と同様に、セルロース系微紛粒と樹脂とを混合しかつ溶融させて押出成形することによって形成されている。
【００２５】
芯材１３は、八角形筒状に形成されており、その４つの内壁面のうち一つおきに配置された４つの内壁面には肉厚部１３ａが芯材１３の軸方向に沿って形成され、残り４つの内壁面には断面略Ｃ字状の凸条１３ｂが芯材１３の軸方向に沿って形成されている。また、芯材１３は金属製のものであり、例えばアルミニウムを押出成形することによって形成されている。
【００２６】
そして、前記化粧材１２の内部に芯材１３が挿入されている。この挿入された状態において、芯材１３の一つおきに配置された４つの側面が化粧材１２の４つの凹溝１２ａの裏面に当接されている。そして、化粧材１２の上端部の２箇所と、下端部１箇所において、凹溝１２ａの底面からビス等の止着材１５を芯材１３の肉厚部１３ａを貫通してねじ込むことによって、化粧材１２の内部に芯材１３が強固に固定されている。
また、芯材１３の下端部は、化粧材１２の下端より下方に突出しており、この突出した下端部が地盤に埋設されることによって、支柱１１が地盤に鉛直に立設されている。
【００２７】
上記のような構成の左右一対の支柱１１には、複数の建築用桟材１・・・が以下のようにして取り付けられている。
すなわち、支柱１１，１１の化粧材１２，１２の互いに対向する側面に形成された前記凹溝１２ａには、図４〜図７に示すように、横断面コ字状に形成された取付金具１６が凹溝１２ａを塞ぐようにして嵌めこまれている。
この取付金具１６は図８に示すように、中央のウエブとこのウエブの両端部に形成されたフランジとからなる断面コ字状のものであり、そのウエブには、両端部に孔１６ａ，１６ａが形成され、孔１６ａ，１６ａ間には、複数の孔１６ｂ・・・がウエブの幅方向中央を境にして千鳥状に配置されて形成されている。これら孔１６ｂのうち一つおきに配置された孔１６ｂには、この孔１６ｂより大径の孔１６ｃが孔１６ｂと繋がって形成されている。この孔１６ｃは水抜き穴である。また、孔１６ｂは建築用桟材１を支柱１１に取り付ける際に使用されるビス穴である。
【００２８】
そして、上記のような取付金具１６は、その上下端部において、前記孔１６ａ，１６ａにビス１７を挿通し、さらに化粧材１２の凹溝１２ａの底壁および芯材１３の肉厚部１３ａを貫通してねじ込むとともに、取付金具１６の上端部のビス１７より下方において、ビス１８を取付金具１６のウエブを貫通し、さらに化粧材１２の凹溝１２ａの底壁および芯材１３の肉厚部１３ａを貫通してねじ込むことによって、支柱１１に取り付け固定されている。
【００２９】
前記取付金具１６には、図６および図７に示すように、建築用桟材１の芯材３の端面が、この芯材３に形成された対角線方向に対向する係止部４ａ，４ａを、取付金具１６に形成された孔１６ｂ，１６ｂに合致させた状態で当接されている。そして、取付金具１６の裏側から、つまり、支柱１１側からビス等の止着材２０を孔１６ｂ，１６ｂを通して、係止部１４ａ，１４ａにねじ込むことによって、支柱１１に取付金具１６を介して建築用桟材１が取り付け固定されている。
上記のようにして、支柱１１に複数の建築用桟材１の端部を取り付けるには、まず、取付金具１６に、建築用桟材１の芯材３の端面を当接したうえで、この芯材３を上記のようにして止着材２０・・・によって取り付けておく。次に、複数の建築用桟材１が取り付けられた取付金具１６を支柱１１の化粧材１２に形成された凹溝１２ａに嵌め込み、この取付金具１６の上下端部を上記のようにしてビス１７，１８によって支柱１１に固定することによって行う。
【００３０】
左右一対の支柱１１，１１に複数の建築用桟材１・・・を取り付けた状態において、建築用桟材１の互いに平行な側面２ｄ,２ｄは水平方向に対して傾斜している。図４および図５において、例えば、フェンス１０の左側が敷地の外側、右側が敷地の内側とすると、建築用桟材１は外側から内側に向かうにしたがって、下方に傾斜しており、この傾斜方向および傾斜角度は全ての建築用桟材１において等しくなっている。また、図５に示すように、建築用桟材１の右側の側面２ｄと、建築用桟材１の最下端を通る水平線とのなす角度は本例では約６０°に設定されているが、この角度は適宜設定される。角度を変更する場合、前記取付金具１６に形成された孔１６ｂの位置を変更すればよい。
このように、建築用桟材１の互いに平行な側面２ｄ,２ｄが水平方向に対して傾斜しているので、傾斜していない建築用桟材を有するフェンスに比して、傾斜方向上側からの陽射しを建築用桟材１,１間を通して、フェンス１０の外側から内側に取り入れることができる。
【００３１】
また、図５に示すように、上下に隣り合う建築用桟材１,１のうち、上の建築用桟材１の最下端Ｓ１と、下の建築用桟材１の最上端Ｓ２とは上下方向に離間している。つまり、上下に隣り合う建築用桟材１,１は、真横から見て重ならないようにして配置されている。。ここで、上の建築用桟材１の最下端Ｓ１と、下の建築用桟材１の最上端Ｓ２との間の距離は本例では、例えば１５ｍｍ程度に設定されているが、この値は適宜設定される。この値を大きくすればするほど、採光性は高くなるが、その反面、外側からフェンス１０を通して内側を見ることができ、防犯上好ましくないので、例えば１０ｍｍ〜３０ｍｍ程度に設定するのが望ましい。このように設定すれば、採光性、防犯性の上から好ましく、また、子供の足が建築用桟材１,１間に入らないので、子供がフェンス１０によじ登るのを防止できる。
【００３２】
なお、本実施の形態では、本発明に係る建築用桟材１を備えたフェンス１０として、住宅等の敷地の境界に設けるフェンスを例にとって説明したが、このようなフェンス１０は、住宅のベランダ等に設けてもよい。
また、本実施の形態では、筒状の建築用桟材１を横断面視、長方形状としたが、これに限らず、横断面視、平行四辺形状、菱形状、さらには円状、楕円状、長円状に形成してもよい。
【図面の簡単な説明】
【００３３】
【図１】本発明に係る建築用桟材の一例を示すもので、建築用桟材の横断面図である。
【図２】同、建築用桟材の側面図である。
【図３】本発明に係るフェンスの一例を示すもので、フェンスの正面図である。
【図４】同、図３におけるＡ−Ａ線断面図である
【図５】同、図４におけるＸ部の拡大図である。
【図６】同、図４におけるＢ矢視図である。
【図７】同、図３におけるＣ−Ｃ線矢視図である。
【図８】同、取付金具を示すもので、（ａ）は側面図、（ｂ）は正面図である。
【符号の説明】
【００３４】
１  建築用桟材
２  化粧材
２ａ  内壁面
２ｃ  化粧材肉厚部（肉厚部）
２ｄ  側面
３  芯材
３ａ,３ｂ  内壁面
３ｃ,３ｄ  芯材肉厚部（肉厚部）
４  凸条
４ａ  係止部
５  止着材
１０  フェンス
１１  支柱
２０  止着材
【図１】
2008082026.tif 000003
【図２】
2008082026.tif 000004
【図３】
2008082026.tif 000005
【図４】
2008082026.tif 000006
【図５】
2008082026.tif 000007
【図６】
2008082026.tif 000008
【図７】
2008082026.tif 000009
【図８】
2008082026.tif 000010